(57)【要約】【課題】非サポート・コネクタ形式を伴うネットワークの特性を評価し、校正する。【解決手段】サポート及び非サポート・インタフェースを有するアダプタを、被試験システム中のネットワークのシステム応答を測定するのに利用できる。これら測定値は、正確で完全に校正されたトータル・システム応答を生成するバーチャル・モデルを推定するように、数学的にカスケード接続できる。従って、既知の規格とトレースできない非サポート・コネクタ形式を伴うネットワークの特性を評価し、校正できる。【選択図】図８
2014044205.tif 000002
【特許請求の範囲】
【請求項１】
測定方法であって、
‘：’が非サポート・コネクタ・インタフェースを示し、［ＴＮ］＝［Ｎ１］:［Ｎ２］として、非サポート・コネクタでカスケード接続及び相互接続された第１個別マルチポート・ネットワーク［Ｎ１］及び第２個別マルチポート・ネットワーク［Ｎ２］を有するトータル・ネットワーク［ＴＮ］の特性を評価する処理と、
［Ｍ１］＝［Ｎ１］:［Ａ１］として、第１アダプタ［Ａ１］を上記第１個別マルチポート・ネットワーク［Ｎ１］に加えて、第１拡張ネットワーク［Ｍ１］の特性を評価する処理と、
［Ｍ２］＝［Ａ２］:［Ｎ２］として、第２アダプタ［Ａ２］を上記第２個別マルチポート・ネットワーク［Ｎ２］に加えて、第２拡張ネットワーク［Ｍ２］の特性を評価する処理と
を具える測定方法。
【請求項２】
上記第１及び第２拡張ネットワーク［Ｍ１］及び［Ｍ２］のいずれかと、ディエンベッド・ネットワーク［ＤＮ］とを
［ＶＮ１］＝［Ｎ１］［Ａ１］＝［Ｍ１］
［ＶＮ２］＝［ＤＮ］−１［Ａ２］［Ｎ２］＝［Ｍ３］−１［Ｍ２］
のようにカスケード接続することによって、第１及び第２バーチャル・ネットワーク・モデル［ＶＮ１］及び［ＶＮ２］を生成する処理を更に具える請求項１記載の測定方法。
【請求項３】
［ＴＮ］＝［ＶＮ１］［ＶＮ２］＝［Ｍ１］［Ｍ３］−１［Ｍ２］のように上記第１及び第２バーチャル・ネットワーク・モデル［ＶＮ１］及び［ＶＮ２］の合計をカスケード接続する処理と、
［ＴＮ］＝［ＶＮ１］［ＶＮ２］＝［Ｎ１］［Ａ１］［Ａ１］−１［Ａ２］−１［Ａ２］［Ｎ２］のように代入する処理と、
［ＴＮ］＝［ＶＮ１］［ＶＮ２］＝［Ｎ１］［Ｎ２］のように項を約す処理と
によって、上記トータル・ネットワーク［ＴＮ］を生成する処理を更に具える請求項２記載の測定方法。
【請求項４】
“［Ｎ１］［Ｎ２］”が第１個別マルチポート・ネットワーク［Ｎ１］及び第２個別マルチポート・ネットワーク［Ｎ２］のカスケード接続／エンベッド処理を示すというように、行列演算を採用するカスケード接続処理／エンベッド処理演算を“［“及び“］”を用いて表記する処理と、
“［Ｎ３］［Ｎ１］−１”が第３個別マルチポート・ネットワーク［Ｎ３］から上記第１個別マルチポート・ネットワーク［Ｎ１］をディエンベッドする処理を示すというように、行列演算を採用するディエンベッド処理演算を“［“及び“］−１”を用いて表記する処理と
を具える測定方法。
【請求項５】
［Ｎ１］及び［Ｎ２］が第１及び第２個々のネットワークを夫々に示し、［Ａ１］及び［Ａ２］が第１及び第２アダプタを夫々示し、‘：’が非サポート・コネクタ・インタフェースを示すとして、
［Ｍ１］［Ｍ２］＝［Ｎ１］:［Ａ１］［Ａ２］:［Ｎ２］
のように２つの拡張ネットワーク［Ｍ１］及び［Ｍ２］を定義する処理と、
ディエンベッド・ネットワーク［ＤＮ］を
［ＤＮ］−１＝［［Ａ２］［Ａ１］］−１、従って［ＤＮ］＝［Ａ２］［Ａ１］として、
［Ｎ１］:［Ａ１］  ［ＤＮ］−１                ［Ａ２］:［Ｎ２］、従って
［Ｎ１］:［Ａ１］  ［［Ａ２］［Ａ１］］−１    ［Ａ２］:［Ｎ２］、従って
［Ｎ１］:［Ａ１］  ［Ａ１］−１［Ａ２］−１      ［Ａ２］:［Ｎ２］、従って
［Ｎ１］:                                      :［Ｎ２］
のように２つの上記拡張ネットワーク［Ｍ１］及び［Ｍ２］の間に挿入する処理と
を具える測定方法。
【請求項６】
物理的なディエンベッド・ネットワーク［Ｍ３］を上記第１及び第２アダプタ［Ａ１］及び［Ａ２］から組み立てる処理と、
［Ｍ３］＝［Ａ２］［Ａ１］、従って
［Ｍ３］−１＝［Ａ１］−１［Ａ２］−１＝［ＤＮ］−１
と定義することによって［Ｍ３］を測定する処理と
を更に具える請求項５記載の測定方法。
【発明の詳細な説明】
【技術分野】
【０００１】
本発明は、サポートされていないコネクタ形式と共に用いるネットワークの特性を評価し、校正するための測定方法に関する。
【背景技術】
【０００２】
本願は、２０１２年８月２４日出願の米国仮出願第６１／６９３，２２９号の利益を主張するものであり、その内容は、本願に全て含まれている。
【０００３】
電気システム中の信号の動作を測定するのに使用される測定装置は、正確な測定値を集めるために校正されなければならない。信号処理のため、典型的な測定装置は、オシロスコープ、プローブ・モジュール及びプローブ・チップから構成される。この装置の校正は、これら構成要素及びこれらの間のインタフェース夫々の特性を評価する（characterize：特性を記述する）ことによって実現される。これら構成要素とインタフェースは、電気ネットワークの要素として数学的にモデル化される。
【先行技術文献】
【特許文献】
【０００４】
【特許文献１】米国特許第６,８２３,２７６号
【特許文献２】米国特許第６,６５０,１２３号
【発明の概要】
【発明が解決しようとする課題】
【０００５】
特性を評価するには、これら構成要素の測定値が既知の校正規格でトレースできるものであることが必要である。商業的に利用可能な校正キットは、測定される所与のコネクタ及びネットワーク形式に関するいくつかの規格を含んでいる。しかし、校正キットは、全てのコネクタ形式に関して商業的に利用可能ではない。
【０００６】
市場に新たに出てきたコンポーネントでは、それらのコネクタ形式がサポートされていないので、標準的な校正技術を用いても測定できないかもしれない。こうしたコネクタ形式をサポートするのに必要な校正キットは、市販では存在していない。サポートされていないコネクタを用いて得られた測定値は、既存の校正規格（calibration standard：校正基準）ではトレースできず、そのために、コンポーネントの特性を評価するのが困難となっている。
【０００７】
ブラックハム等による米国特許第６,８２３,２７６号は、試験するデバイスの測定エラーを測定するためのシステム及び方法を開示している。ベクトル・ネットワーク・アナライザ（ＶＮＡ）が、１ポート校正に関する３つのシステマチック・エラー（方向性、反射トラッキング、ソース・マッチ）を測定するのに使用される。これら３つのシステマチック・エラーに関する規格は既知であるが、それらは、関心のある周波数範囲の全てについて、適切なわけではないかもしれない。このため、ブラックマンは、これら規格に重み付けを割り当てることで、周波数の特定範囲における信頼性を高めている。こうした重み付けは、最小２乗計算に適用されることで、ネットワーク中の要素の特性を評価できる。
【０００８】
マーテンズによる米国特許第６,６５０,１２３号は、ベクトル・ネットワーク・アナライザと共に利用されるインターフェース・デバイスの特性を測定する方法を開示している。マーテンズは、マルチ・ポート・アダプタやテスト・フィクスチャを、複数の２ポート・ネットワークとしてではなく、１度に１つの２ポート・ネットワークとして扱われる１つの物として扱っている。２つの校正が実行されるが、１つは内部反射プレーンにおいて、もう１つは外部反射プレーンにおいてである。
【０００９】
従って、信号測定装置の操作者が、サポートされていない（非サポート）コネクタ形式を用いた既知の校正規格でトレースできないネットワークの特性を評価し、校正することを可能にするシステム及び方法へのニーズがある。
【課題を解決するための手段】
【００１０】
開示技術の実施形態は、大まかに言えば、信号測定装置の操作者が、サポートされていないコネクタ形式を用いた（例えば、既知の校正規格でトレースできない）ネットワークの特性を評価し、校正することを可能にする。
【００１１】
ある実施形態では、信号測定装置が、第１ネットワーク及び第２ネットワークに結合される。第１及び第２ネットワークは、第１アダプタに結合される。装置、第１ネットワーク、第１アダプタ、第２ネットワークを通って装置へと戻るパスが、第１システム応答に従って測定され、第１特性評価（characterization：特性記述）が生成される。
【００１２】
別の実施形態では、装置は、第３ネットワーク及び第４ネットワークに結合される。第３及び第４ネットワークは、第２アダプタに結合される。装置、第３ネットワーク、第２アダプタ、第４ネットワークを通って装置へと戻るパスが、第２システム応答に応じて測定され、第２特性評価が生成される。
【００１３】
別の実施形態によれば、装置は、第１ネットワーク及び第４ネットワークに結合される。第１ネットワークは第１アダプタに結合され、第１アダプタは第２アダプタに結合され、第２アダプタ は第４ネットワークに結合される。装置、第１ネットワーク、第１アダプタ、第２アダプタ、第４ネットワークを通って装置へと戻るパスが、第３システム応答に応じて測定され、第３特性評価が生成される。
【００１４】
更に別の実施形態によれば、第１アダプタの第４特性評価が除去され、同様に、第１、第２及び第３特性評価から第２アダプタの第５特性評価が除去される。その結果として、第２ネットワーク及び第３ネットワークの組み合わせの第６特性評価が生成される。校正キットで非サポートで、既知の規格でトレースできない第２及び第３ネットワーク間のインタフェースは、非サポート・インタフェース間を伝送される信号の解釈に関して校正される。
【００１５】
より具体的には、本発明の概念１は方法であって、
‘：’が非サポート・コネクタ・インタフェースを示し、［ＴＮ］＝［Ｎ１］:［Ｎ２］として、非サポート・コネクタでカスケード接続及び相互接続された第１個別マルチポート・ネットワーク［Ｎ１］及び第２個別マルチポート・ネットワーク［Ｎ２］を有するトータル・ネットワーク［ＴＮ］の特性を評価する処理と、
［Ｍ１］＝［Ｎ１］:［Ａ１］として、第１アダプタ［Ａ１］を上記第１個別マルチポート・ネットワーク［Ｎ１］に加えて、第１拡張ネットワーク［Ｍ１］の特性を評価する処理と、
［Ｍ２］＝［Ａ２］:［Ｎ２］として、第２アダプタ［Ａ２］を上記第２個別マルチポート・ネットワーク［Ｎ２］に加えて、第２拡張ネットワーク［Ｍ２］の特性を評価する処理と
を具えている。
【００１６】
本発明の概念２は、上記概念１の方法であって上記第１及び第２拡張ネットワーク［Ｍ１］及び［Ｍ２］のいずれか又は両方の特性評価処理によって、測定値の校正を可能にすることを特徴としている。
【００１７】
本発明の概念３は、上記概念２の方法であって、上記校正測定値は、既知の規格でトレースできる測定値を含むことを特徴としている。
【００１８】
本発明の概念４は、上記概念１の方法であって、上記非サポート・コネクタは、測定値の校正ができないコネクタ形式であることを特徴としている。
【００１９】
本発明の概念５は、上記概念１の方法であって、上記非サポート・コネクタ・インタフェース‘：’は、 既知のトレース可能な規格で生成される測定値をサポートしないコネクタ形式を表すことを特徴としている。
【００２０】
本発明の概念６は、上記概念１の方法であって、上記特性評価は、いずれも時間領域又は周波数領域の校正測定値によって表すことができることを特徴としている。
【００２１】
本発明の概念７は、上記概念１の方法であって、上記特性評価は、数学的モデルによって表すことができることを特徴としている。
【００２２】
本発明の概念８は、上記概念１の方法であって、
上記第１及び第２拡張ネットワーク［Ｍ１］及び［Ｍ２］のいずれかと、ディエンベッド・ネットワーク［ＤＮ］とを
［ＶＮ１］＝［Ｎ１］［Ａ１］＝［Ｍ１］
［ＶＮ２］＝［ＤＮ］−１［Ａ２］［Ｎ２］＝［Ｍ３］−１［Ｍ２］
のようにカスケード接続することによって、第１及び第２バーチャル・ネットワーク・モデル［ＶＮ１］及び［ＶＮ２］を生成する処理を更に具えている。
【００２３】
本発明の概念９は、上記概念８の方法であって、
［ＴＮ］＝［ＶＮ１］［ＶＮ２］＝［Ｍ１］［Ｍ３］−１［Ｍ２］のように上記第１及び第２バーチャル・ネットワーク・モデル［ＶＮ１］及び［ＶＮ２］の合計（sum：和）をカスケード接続する処理と、
［ＴＮ］＝［ＶＮ１］［ＶＮ２］＝［Ｎ１］［Ａ１］［Ａ１］−１［Ａ２］−１［Ａ２］［Ｎ２］のように代入する処理と、
［ＴＮ］＝［ＶＮ１］［ＶＮ２］＝［Ｎ１］［Ｎ２］のように項を約す処理と
によって、上記トータル・ネットワーク［ＴＮ］を生成する処理を更に具えている。
【００２４】
本発明の概念１０は、上記概念９の方法であって、カスケード接続された上記バーチャル・ネットワーク・モデル［ＶＮ１］及び［ＶＮ２］の合計が、カスケード接続された上記個別マルチポート・ネットワーク［Ｎ１］及び［Ｎ２］の合計と、上記トータル・ネットワーク［ＴＮ］とに等しいことを特徴としている。
【００２５】
本発明の概念１１は、方法であって、
“［Ｎ１］［Ｎ２］”が第１個別マルチポート・ネットワーク［Ｎ１］及び第２個別マルチポート・ネットワーク［Ｎ２］のカスケード接続／エンベッド処理を示すというように、行列演算を採用するカスケード接続処理／エンベッド処理演算を“［“及び“］”を用いて表記する処理と、
“［Ｎ３］［Ｎ１］−１”が第３個別マルチポート・ネットワーク［Ｎ３］から上記第１個別マルチポート・ネットワーク［Ｎ１］をディエンベッドする処理を示すというように、行列演算を採用するディエンベッド処理演算を“［“及び“］−１”を用いて表記する処理と
を具えている。
【００２６】
本発明の概念１２は、上記概念１１の方法であって、上記第１及び第２個別マルチポート・ネットワーク［Ｎ１］及び［Ｎ２］が、ＡＢＣＤパラメータ行列を用いて記述されることを特徴としている。
【００２７】
本発明の概念１３は、上記概念１２の方法であって、“［Ｎ１］［Ｎ２］”が、［Ｎ１］及び［Ｎ２］の行列の乗算によって直接実現されることを特徴としている。
【００２８】
本発明の概念１４は、上記概念１１の方法であって、上記第１及び第２個別マルチポート・ネットワーク［Ｎ１］及び［Ｎ２］が、ｓパラメータ行列を用いて記述されることを特徴としている。
【００２９】
本発明の概念１５は、上記概念１４の方法であって、
［Ｎ１］及び［Ｎ２］をｔパラメータ行列に変換する処理と、
ｔパラメータ行列の行列乗算を実行する処理と、
上記行列乗算の結果をｓパラメータに変換する処理と
を更に具えている。
【００３０】
本発明の概念１６は、上記概念１１の方法であって、上記第１及び第２個別マルチポート・ネットワーク［Ｎ１］及び［Ｎ２］は、ｓパラメータ行列を用いて、ディエンベッド処理［Ｎ１］［Ｎ２］−１を記述することを特徴としている。
【００３１】
本発明の概念１７は、上記概念１６の方法であって、
［Ｎ１］及び［Ｎ２］をｔパラメータ行列［Ｔ１］及び［Ｔ２］に夫々変換する処理と、
［Ｔ１］及び［Ｔ２］行列（［Ｔ１］［Ｔ２］−１）について行列乗算を実行する処理と、
その結果をｓパラメータに変換する処理と
を更に具えている。
【００３２】
本発明の概念１８は方法であって、
［Ｎ１］及び［Ｎ２］が第１及び第２個々のネットワークを夫々に示し、［Ａ１］及び［Ａ２］が第１及び第２アダプタを夫々示し、‘：’が非サポート・コネクタ・インタフェースを示すとして、
［Ｍ１］［Ｍ２］＝［Ｎ１］:［Ａ１］［Ａ２］:［Ｎ２］
のように２つの拡張ネットワーク［Ｍ１］及び［Ｍ２］を定義する処理と、
ディエンベッド・ネットワーク［ＤＮ］を
［ＤＮ］−１＝［［Ａ２］［Ａ１］］−１、従って［ＤＮ］＝［Ａ２］［Ａ１］として、
［Ｎ１］:［Ａ１］  ［ＤＮ］−１                ［Ａ２］:［Ｎ２］、従って
［Ｎ１］:［Ａ１］  ［［Ａ２］［Ａ１］］−１    ［Ａ２］:［Ｎ２］、従って
［Ｎ１］:［Ａ１］  ［Ａ１］−１［Ａ２］−１      ［Ａ２］:［Ｎ２］、従って
［Ｎ１］:                                      :［Ｎ２］
のように２つの上記拡張ネットワーク［Ｍ１］及び［Ｍ２］の間に挿入する処理と
を具えている。
【００３３】
本発明の概念１９は、上記概念１８の方法であって
物理的なディエンベッド・ネットワーク［Ｍ３］を上記第１及び第２アダプタ［Ａ１］及び［Ａ２］から組み立てる処理と、
［Ｍ３］＝［Ａ２］［Ａ１］、従って
［Ｍ３］−１＝［Ａ１］−１［Ａ２］−１＝［ＤＮ］−１
と定義することによって［Ｍ３］を測定する処理と
を更に具えている。
【図面の簡単な説明】
【００３４】
【図１】図１は、代表的な信号測定装置の前面の示す図である。
【図２】図２は、図１の信号測定装置がネットワークを介してコンピュータに接続されている例を示す図である。
【図３】図３は、サポートされたコネクタを用いて装置の特性を決定するための校正基準面を確立する既知のトレース可能な規格を用いた信号装置の校正を示している。
【図４】図４は、アダプタを用いて非サポートのコネクタでネットワークを校正された測定を行う第１例を示している。
【図５】図５は、アダプタを用いて非サポートのコネクタでネットワークを校正された測定を行う第２例を示している。
【図６】図６は、背中合わせに接続された２つのアダプタを測定する例を示す。
【図７】図７は、トータル・システムの測定値を検証する例を示す。
【図８】図８は、図１の信号測定装置と、図３〜６に示したようなコネクタ及びアダプタとを用いた典型的な校正及び特性評価処理を示す制御フロー・チャートである。
【図９】図９は、非サポート・コネクタを伴うアダプタを用いてネットワークを測定する例を示す。
【発明を実施するための形態】
【００３５】
図１は、代表的な信号測定装置１１０の前面の示す図である。実施形態によっては、これは、独立型（スタンドアロン）のベクトル・ネットワーク・アナライザ（ＶＮＡ）であっても良く、別の実施形態では、ＶＮＡの機能を実行できるソフトウェアをロードしたオシロスコープであっても良い。装置上に配置されているのは、表示装置１３０、入力ボタン１２０ａ〜ｇ、信号チャンネル１５０ａ〜ｄ及び入力ダイヤル１６０ａ〜ｃである。入力ボタン１２０ａ〜ｇによって、装置１１０の操作者は、表示装置を介してインタラクティブに操作でき、信号１４０を測定するやり方を変更できる。同様に、入力ダイヤル１６０ａ〜ｃによっては、操作者は、装置をインタラクティブに操作できる。
【００３６】
図２に示した例を参照すると、装置２１０は、ネットワーク２２０に接続されるネットワーク・インタフェース（図示せず）を有していても良い。ある実施形態では、ネットワーク２２０は、ローカル・エリア・ネットワーク（ＬＡＮ）であるか、又は、ワイド・エリア・ネットワーク（ＷＡＮ）であっても良い。同様にしてネットワーク２２０に接続されたコンピュータ２３０が、ネットワーク２２０を介して装置２１０と通信を行っても良い。装置２１０の操作者は、図１の入力デバイス１２０ａ〜ｇ及び１６０ａ〜ｃを介してインタラクティブに装置を操作しても良いし、装置２１０と通信しているコンピュータ２２０を介して装置を操作しても良い。
【００３７】
図２に示した例を参照すると、装置２１０は、ネットワーク２２０に接続されるネットワーク・インタフェース（図示せず）を有していても良い。ある実施形態では、ネットワーク２２０は、ローカル・エリア・ネットワーク（ＬＡＮ）であるか、又は、ワイド・エリア・ネットワーク（ＷＡＮ）であっても良い。同様にしてネットワーク２２０に接続されたコンピュータ２３０が、ネットワーク２２０を介して装置２１０と通信を行っても良い。装置２１０の操作者は、図１の入力デバイス１２０ａ〜ｇ及び１６０ａ〜ｃを介してインタラクティブに装置を操作しても良いし、装置２１０と通信しているコンピュータ２２０を介して装置を操作しても良い。
【００３８】
図３は、校正（ＣＡＬ）の例を示し、これにおいて、代表的な２セットのトレース可能な校正規格が、サポートされたコネクタを用いて信号装置に結合され、測定校正基準面を規定する。
【００３９】
図４は、アダプタ［Ａ１］を用いて非サポートのコネクタでネットワーク［Ｎ１］を測定する第１例Ｍ１を示し、このとき、
［Ｍ１］＝［Ｎ１］:［Ａ１］  アダプタ［Ａ１］を用いたネットワーク［Ｎ１］の測定
【００４０】
図５は、アダプタ［Ａ２］を用いて非サポートのコネクタでネットワーク［Ｎ２］を測定する第２例Ｍ２を示し、このとき、
［Ｍ２］＝［Ａ２］:［Ｎ２］  アダプタ［Ａ２］を用いたネットワーク［Ｎ２］の測定
【００４１】
図６は、背中合わせに接続された２つのアダプタ［Ａ２］及び［Ａ１］を測定する例Ｍ３を示し、このとき、
［Ｍ５］＝［Ａ２］:［Ａ１］  背中合わせアダプタ対の測定値
【００４２】
図７は、トータル・システム測定値［ＮＴ１］の検証の例Ｍ１０を示し、このとき、
［Ｍ１０］＝［Ｎ１］:［Ｎ２］  トータル・システム測定値
【００４３】
ここで用いられるバーチャル・モデル行列演算では、あるブロック（例えば、［Ｍ１］、［Ｍ２］及び［Ｍ１０］）は、通常、複数の測定データ（例えば、Ｓパラメータ）を表し、他のブロック（例えば、［Ｎ１］及び［Ｎ２］）は、通常、ネットワーク特性（例えば、Ｓパラメータ）を表し、そして、他のブロック（例えば、［Ａ１］及び［Ａ２］）は、通常、アダプタ特性（例えば、Ｓパラメータ）を表す。［Ｎ３］＝［Ｎ１］［Ｎ２］のような表記は、通常、ネットワーク［Ｎ１］及び［Ｎ２］がカスケード（直列）接続され（又は、エンベッドされ（特性が組み込まれ））、ネットワーク［Ｎ３］が生成されることを示す。［Ｎ３］＝［Ｎ１］:［Ｎ２］のような表記は、通常、非サポートのコネクタでネットワーク［Ｎ１］及び［Ｎ２］がカスケード（直列）接続され（又は、エンベッドされ（特性が組み込まれ））ることを示す。［Ｎ２］＝［Ｎ１］−１［Ｎ３］のような表記は、通常、ネットワーク［Ｎ３］からネットワーク［Ｎ１］がディエンベッドされ（ネットワーク［Ｎ１］の特性が取り除かれ）て、ネットワーク［Ｎ２］のデータ・セットに関して解いたこを示す。
【００４４】
上述した複数のブロックは、マルチポートＳパラメータか、又は、ＡＢＣＤパラメータのような他のパラメータのセットで表すようにしても良い。一般に、Ｓパラメータのようなパラメータは、行列の直接的な乗算によってはカスケード接続にできず、標準的な行列演算テクニックを適用し、Ｓパラメータのデータ・ブロックをカスケード接続にするためには、通常、Ｓパラメータ（又は他の）データに、ある行列変換を適用しなければならない。Ｓパラメータ（又は、他のパラメータ）のネットワークをカスケード接続し、エンベッドし、ディエンベッドするには、通常、行列乗算又は行列反転の前後で、個々のネットワークのパラメータを適切なパラメータ・セット（例えば、ｔパラメータ）に変換する必要がある。
【００４５】
数学的にカスケード接続されると、個々に特性が評価されたネットワーク、例えば、［Ｎ１］及び［Ｎ２］は、トータル・システム応答［ＮＴ］: ［Ｎ１］［Ｎ２］＝［ＮＴ］を生成する。ネットワーク間のインタフェースが非サポートの場合、個々のネットワークは、アダプタを用いて測定しなければならない。アダプタ（Ａ１及びＡ２）は、サポートされたアダプタで測定システムに接続することを可能にし、既知の校正規格でトレース可能な測定値が得られるようにする。しかし、直接カスケード接続し、アダプタを用いて測定すると、誤ったトータル・システム応答が得られる：［Ｎ１］［Ａ１］ ［Ａ２］［Ｎ２］≠［ＮＴ］。
【００４６】
本開示技術の実施形態によるバーチャル・ネットワーク・モデルは、ネットワークの測定及び特性評価中に使用されるアダプタの影響を数学的に除去する。バーチャル・ネットワーク（ＶＮ）モデルの１対（又は、もっと多数）をカスケード接続すると、正しいトータル・システム応答が得られる：［ＶＮ１］［ＶＮ２］＝［ＮＴ］。
【００４７】
ここで説明するように、バーチャル・ネットワーク・モデルの生成は、通常、カスケード接続されたネットワーク中で特性が評価される個々のネットワーク要素を特定することから始まる。以下の例を考える：
［ＮＴ］＝［Ｎ１］:［Ｎ２］  カスケード接続ネットワーク（トータル・ネットワーク）
ここで、個々のネットワーク要素は、次のように特性が評価（特性が記述）される：
［Ｎ１］    ネットワーク［Ｎ１］
［Ｎ２］    ネットワーク［Ｎ２］
：  非サポート・コネクタ・インタフェース
【００４８】
個々のネットワーク夫々の校正された測定値が生成され、適切なアダプタが加えられるが、このとき、測定装置に「サポートされた」コネクタ・インタフェースを与える必要がある。これらにより、ネットワーク測定値が増加することとなる。以下の例を考えてみることにする：
［Ｍ１］＝［Ｎ１］:［Ａ１］［Ｎ１］拡張ネットワークの測定
［Ｍ２］＝［Ａ２］:［Ｎ２］［Ｎ２］拡張ネットワークの測定
ここで
［Ａ１］  アダプタ１
［Ａ２］  アダプタ２
【００４９】
複数の拡張ネットワークをカスケード接続する第１の試みでは、通常、個々の拡張ネットワークを直接カスケード接続することを含んでいる：
［ＮＴ］≠［Ｍ１］              ［Ｍ２］
［ＮＴ］≠［Ｎ１］:［Ａ１］  ［Ａ２］:［Ｎ２］
付加した複数のアダプタを伴う拡張ネットワークを数学的にカスケード接続しても、正しいトータル・ネットワーク［ＮＴ］は生成されない。
【００５０】
ディエンベッド・ネットワークは、複数の拡張ネットワーク間に挿入された場合、アダプタの影響をキャンセルし、正しいトータル・カスケード接続ネットワーク［ＮＴ］を生成するので、これを特定すると良い。例えば、個々の拡張ネットワークをディエンベッド・ネットワーク［Ａ１］−１及び［Ａ２］−１とカスケード接続すると、次の結果が得られる：
［ＮＴ］＝［Ｎ１］:［Ａ１］ ［Ａ１］−１［Ａ２］−１ ［Ａ２］:［Ｎ２］
［ＮＴ］＝［Ｎ１］:                    :［Ｎ２］        :
［ＮＴ］＝［Ｎ１］:［Ｎ２］
オリジナルの拡張ネットワーク測定中に使われるアダプタの背中合わせ測定では、ディエンベッド・ネットワークに必要とされる必要データが得られる：
［Ｍ５］＝［Ａ２］:［Ａ１］  そして、［Ｍ５］−１＝［［Ａ２］:［Ａ１］］−１＝［Ａ１］−１［Ａ２］−１
【００５１】
バーチャル・モデルの切り分け（パーティション）処理では、バーチャル・ネットワーク・モデルがアダプタ対測定値［Ｍ５］を拡張ネットワーク測定値に組み入れても良く、例えば、逆アダプタ対測定値［Ｍ５］−１を１つ以上の拡張ネットワーク測定値に取り入れて、バーチャル・ネットワーク・モデル［ＶＮ１］及び［ＶＮ２］を生成しても良い：
［ＮＴ］＝［Ｎ１］:［Ａ１］［Ａ１］−１［Ａ２］−１［Ａ２］:［Ｎ２］
［ＮＴ］＝  ［Ｍ１］        ［Ｍ５］−        ［Ｍ２］
上記は、トータル・ネットワークの特性を評価するのに必要なネットワーク測定値を表している。
【００５２】
切り分けの第１選択肢を検討すると：
［ＮＴ］＝［Ｍ１］    ［Ｍ５］−１［Ｍ２］
［ＮＴ］＝［ＶＮ１］    ［ＶＮ２］
【００５３】
このとき、アダプタ対両方の測定値［Ｍ５］−１が、拡張ネットワーク［Ｍ２］に関係しており、バーチャル・ネットワーク・モデル［ＶＮ２］＝［Ｍ５］−１［Ｍ２］を生成する。
【００５４】
バーチャル・モデル［ＶＮ１］及び［ＶＮ２］からいくつかの注目点が明らかになる。第１に、バーチャル・モデル［ＶＮ１］は、測定値［Ｍ１］と等しい。第２に、バーチャル・モデル［ＶＮ２］は、測定値［Ｍ２］とカスケード接続された測定値［Ｍ５］−１と等しい。第３に、［ＶＮ１］は［Ｎ１］と等しくなく、［ＶＮ２］は［Ｎ２］と等しくない。それにも関わらず、［ＶＮ１］［ＶＮ２］＝［Ｎ１］:［Ｎ２］で、このとき、
［ＶＮ１］＝［Ｎ１］:［Ａ１］
［ＶＮ２］＝［Ｍ５］−１  ［Ｍ２］
［ＶＮ２］＝［Ａ１］−１［Ａ１］−１［Ａ２］:［Ｎ２］
［ＶＮ２］＝［Ａ１］−１:［Ｎ２］
従って：
［ＶＮ１］［ＶＮ２］＝［Ｎ１］:［Ａ１］ ［Ａ１］−１:［Ｎ２］
［ＶＮ１］［ＶＮ２］＝［Ｎ１］:［Ｎ２］
［ＶＮ１］［ＶＮ２］＝［ＮＴ］
このとき、カスケード接続されたバーチャル・ネットワーク・モデル［ＶＮ１］［ＶＮ２］は、トータル・ネットワーク［ＮＴ］を生成する。
【００５５】
切り分けの第２選択肢を検討すると：
［ＮＴ］＝［Ｍ１］［Ｍ５］−１          ［Ｍ２］
［ＮＴ］＝［Ｎ１］:［Ａ１］［Ｍ５］−１［Ａ２］:［Ｎ２］
［ＮＴ］＝［ＶＮ５］                  ［ＶＮ６］
【００５６】
この切り分け選択肢では、アダプタ対測定値［Ｍ５］が拡張ネットワーク［Ｍ１］=［Ｎ１］:［Ａ１］と関連していて、バーチャル・ネットワーク・モデル［ＶＮ５］を生成するが、このとき、
［ＶＮ５］＝［Ｍ１］［Ｍ５］−１
［ＶＮ５］＝［Ｎ１］:［Ａ１］［Ａ１］−１［Ａ２］−１＝    ［Ｎ１］:［Ａ２］−１
［ＶＮ６］＝［Ｍ２］
［ＶＮ６］＝［Ａ２］:［Ｎ２］
［ＶＮ５］［ＶＮ６］＝［Ｍ１］［Ｍ５］−１  ［Ｍ２］
［ＶＮ５］［ＶＮ６］＝［Ｎ１］:［Ａ２］−１  ［Ａ２］:［Ｎ２］
［ＶＮ５］［ＶＮ６］＝［Ｎ１］:［Ｎ２］
［ＶＮ５］［ＶＮ６］＝［ＮＴ］
ここで、カスケード接続されたバーチャル・ネットワーク・モデル［ＶＮ５］［ＶＮ６］は、トータル・ネットワーク［ＮＴ］を生成する。
【００５７】
使用する切り分け方法に関係なく、拡張ネットワーク測定値を、アダプタ対測定値の逆である［Ｍ５］−１とカスケード接続して、トータル・システム応答［ＮＴ］を得るようにしても良い：
［Ｎ１］:［Ｎ２］＝［Ｍ１］［Ｍ５］−１［Ｍ２］
［Ｎ１］:［Ｎ２］＝［Ｎ１］:［Ａ１］［Ａ１］−１［Ａ２］−１［Ａ２］:［Ｎ２］
［Ｎ１］:［Ｎ２］＝［ＶＮ１］［ＶＮ２］
［Ｎ１］:［Ｎ２］＝［ＶＮ５］［ＶＮ６］
【００５８】
個別のネットワークを測定するのに使用されるアダプタの影響は、拡張ネットワーク測定値［Ｍ１］及び［Ｍ２］を用いたカスケード接続演算の間に、逆アダプタ対測定値［Ｍ５］−１によって除去される。これは、多くの理由で利点がある。例えば、個々のアダプタの特性評価が不要で潜在的に不可能であり、非サポート・コネクタにおける測定値が不要であり、全ての想定値はサポートされたコネクタで生成され、既知の規格でトレース可能である。
【００５９】
いくつかの利点がバーチャル・モデルで実現される。アダプタ対測定値［Ｍ５］を、もはや独立して保持する必要がない。つまり、アダプタ対測定値は、バーチャル・モデルに組み込まれる。複数のバーチャル・モデルのカスケード接続は、それら自身によって、正しいトータル・システム応答の答えが得られる。加えて、バーチャル・ネットワークは、標準的な市販の校正キットを用いて、既知の校正規格に関して、特性が評価される。要するに、バーチャル・モデルのテクニックは、オリジナルのネットワーク測定値から効果的にアダプタを除去し、カスケード接続バーチャル・ネットワーク・モデルの非サポート・インタフェースでのつなぎ目のない連結を可能にする。
【００６０】
複数のバーチャル・モデルは、１対のネットワークだけに限られるものではない。多数の非サポート・インタフェースで１つにつないだ多数のネットワークを（適切なアダプタを用いて）個々に測定することができ、そして、バーチャル・モデルに変換できる。導出されたバーチャル・ネットワーク・モデルを再び数学的にカスケード接続すると、正しいトータル・ネットワーク応答が得られる。３つのネットワークを用いる次の例を検討する：
［ＮＴ］ ＝［Ｎ１］:［Ｎ２］:［Ｎ３］  カスケード接続ネットワーク（トータル・ネットワーク）
ここで個々のネットワーク要素は、次のように特性が記述される：
［Ｎ１］      プローブ・チップ
［Ｎ２］      プローブ・モジュール
［Ｎ３］      オシロスコープ
：      非サポート・コネクタ・インタフェース
【００６１】
個々のネットワークの校正された測定値を生成しても良く、また、適切なアダプタを加えても良く、このとき、”サポートされた”コネクタ・インタフェースを測定装置に与える必要がある。これらは、拡張ネットワーク測定値となる。次の例を検討してみよう：
［Ｍ１］＝［Ｎ１］:［Ａ１］          ［Ｎ１］拡張ネットワークの測定
［Ｍ３］＝［Ａ２］:［Ｎ２］:［Ａ３］  ［Ｎ２］拡張ネットワークの測定
［Ｍ４］＝［Ａ４］:［Ｎ３］          ［Ｎ３］ 拡張ネットワークの測定
ここで、
［Ａ１］  アダプタ１
［Ａ２］  アダプタ２
［Ａ３］  アダプタ３
［Ａ４］  アダプタ４
【００６２】
複数の拡張ネットワークをカスケード接続する第１の試みでは、通常、個々の拡張ネットワークを直接カスケード接続する処理を含んでいる：
［ＮＴ］≠［Ｍ１］                    ［Ｍ３］              ［Ｍ４］
［ＮＴ］≠［Ｎ１］:［Ａ１］  ［Ａ２］:［Ｎ２］:［Ａ３］  ［Ａ４］:［Ｎ３］
複数の拡張ネットワークを（アダプタを加えて）数学的にカスケード接続しても、正しいトータル・ネットワーク［ＮＴ］は生成されない。
【００６３】
複数のディエンベッド・ネットワークは、複数の拡張ネットワーク間に挿入された場合、アダプタの影響をキャンセルし、正しいトータル・カスケード接続ネットワーク［ＮＴ］を生成するので、これを求めると良い。例えば、個々の拡張ネットワークを、ディエンベッド・ネットワーク［Ａ１］−１、［Ａ２］−１、［Ａ３］−１及び［Ａ４］−１と共にカスケード接続すると、次の結果が得られる：
[NT]＝[N1]:[A1]  [A1]-1[A2]-1  [A2]:[N2]:[A3]  [A3]-1[A4]-1  [A4]:[N3]
[NT]＝[N1]:                      :[N2]:                      :[N3]
[NT]＝[N1]:[N2]:[N3]
オリジナルの拡張ネットワーク測定中に使用されるアダプタの背中合わせ測定では、ディエンベッド・ネットワークに必要とされる必要データが得られる：
［Ｍ５］＝［Ａ２］:［Ａ１］  そして、
［Ｍ５］−１＝［［Ａ２］:［Ａ１］］−１＝［Ａ１］−１［Ａ２］−１
［Ｍ６］＝［Ａ４］:［Ａ３］  そして、
［Ｍ６］−１＝［［Ａ４］:［Ａ３］］−１＝［Ａ３］−１［Ａ４］−１
【００６４】
バーチャル・モデルの切り分け（パーティション）処理では、バーチャル・ネットワーク・モデルがアダプタ対測定値［Ｍ５］及び［Ｍ６］を拡張ネットワーク測定値に組み入れても良く、例えば、逆アダプタ対測定値［Ｍ５］−１及び［Ｍ６］−１を１つ以上の拡張ネットワーク測定値に取り入れて、バーチャル・ネットワーク・モデル［ＶＮ１］、［ＶＮ３］及び［ＶＮ４］を生成しても良い：
[NT]＝[N1]:[A1]  [A1]-1[A2]-1  [A2]:[N2]:[A3]  [A3]-1[A4]-1  [A4]:[N3]
[NT]＝    [M1]    [M5]-1          [M3]        [M6]-1      [M4]
上記は、トータル・ネットワークの特性を評価するのに必要なネットワーク測定値を表している。
【００６５】
切り分けの第１選択肢を検討すると：
［ＮＴ］＝［Ｍ１］  ［Ｍ５］−１［Ｍ３］［Ｍ６］−１  ［Ｍ４］
［ＮＴ］＝［ＶＮ１］          ［ＶＮ３］          ［ＶＮ４］
【００６６】
このとき、アダプタ対測定値［Ｍ５］−１及び［Ｍ６］−１の両方が拡張ネットワーク［Ｍ３］=［Ａ２］:［Ｎ２］:［Ａ３］に関連しており、バーチャル・ネットワーク・モデル［ＶＮ３］＝［Ｍ５］−１［Ｍ３］［Ｍ６］−１を生成する。
ここで：
[VN1]=  [N1]:[A1]
[VN3]=  [M5]-1          [M3]          [M6]-1
[VN3]=  [A1]-1[A2]-1  [A2]:[N2]:[A3]  [A3]-1[A4]-1
[VN3]=  [A1]-1:[N2]:[A4]-1
[VN4]=  [A4]:[N3]
従って：
[VN1][VN3][VN4]＝  [N1]:[A1]  [A1]-1:[N2]:[A4]-1  [A4]:[N3]
[VN1][VN3][VN4]＝  [N1]:[N2]:[N3]
[VN1][VN3][VN4]＝  [NT]
こうして、カスケード接続バーチャル・ネットワーク・モデル［ＶＮ１］［ＶＮ３］［ＶＮ４］が、トータル・ネットワーク［ＮＴ］を生成する。
【００６７】
切り分けの第２選択肢を検討すると：
[NT]＝ [M1][M5]-1          [M3]      [M6]-1[M4]
[NT]＝ [N1]:[A1][M5]-1  [A2]:[N2]:[A3]  [M6]-1[A4]:[N3]
[NT]＝ [N1]:[A2]-1      [A2]:[N2]:[A3]  [A3]-1:[N3]
[NT]＝ [VN5]              [VN7]        [VN8]
【００６８】
この切り分けの選択肢では、アダプタ対測定値［Ｍ５］が拡張ネットワーク［Ｍ１］＝［Ｎ１］:［Ａ１］と関連し、アダプタ対測定値［Ｍ６］が拡張ネットワーク［Ｍ４］＝［Ａ４］:［Ｎ３］と関連しており、このとき：
[VN5]＝  [M1][M5]-1 
[VN5]＝  [N1]:[A1] [A1]-1[A2]-1  ＝  [N1]: [A2]-1
[VN7]＝  [M3]
[VN7]＝  [A2]:[N2]:[A3]
[VN8]＝  [M6]-1[M4]
[VN8]＝  [A3]-1 [A4]-1 [A4]:[N3]  =  [A3]-1:[N3]
[VN5][VN7][VN8]=  [M1][M5]-1      [M3]      [A6]-1:[M4]
[VN5][VN7][VN8]=  [N1]:[A2]-1  [A2]:[N2]:[A3]  [A3]-1:[N3]
[VN5][VN7][VN8]=  [N1]:[N2]:[N3]
[VN5][VN7][VN8]=  [NT]
こうして、カスケード接続バーチャル・ネットワーク・モデル［ＶＮ５］［ＶＮ７］［ＶＮ８］が、トータル・ネットワーク［ＮＴ］を生成する。
【００６９】
使用する切り分けの方法に関係なく、拡張ネットワーク測定値を、アダプタ対測定値の逆である［Ｍ５］−１及び［Ｍ６］−１とカスケード接続して、トータル・システム応答［ＮＴ］を得るようにしても良い：
[N1]:[N2]:[N3]＝ [M1] [M5]-1 [M3] [M6]-1 [M4] 
[N1]:[N2]:[N3]＝ [N1]:[A1][A1]-1[A2]-1[A2]:[N2]:[A3] [A3]-1[A4]-1 [A4]:[N3]
[N1]:[N2]:[N3]＝ [VN1][VN3][VN4]
[N1]:[N2]:[N3]＝ [VN5][VN7][VN8]
【００７０】
個々のネットワークを測定するのに使用されるアダプタの影響は、ネットワーク測定値［Ｍ１］、［Ｍ３］及び［Ｍ４］を用いたカスケード接続演算の間に、逆アダプタ対測定値［Ｍ５］−１及び［Ｍ６］−１によって除去される。
【００７１】
図８は、図１の信号測定装置と、図３〜６に示したようなコネクタ及びアダプタとを用いた典型的な校正及び特性評価（characterization）処理を示す制御フロー・チャートである。（例えば、ネットワーク１の）第１測定処理８１０は、第１アダプタを用いて行われるが、第１アダプタは、サポート・コネクタ・インタフェースと非サポート・インタフェースの両方を持っており、非サポート・インタフェースは、ネットワーク１の非サポート・コネクタと係合している。（例えば、ネットワーク２の）第２測定処理８２０は、第２アダプタを用いて行われるが、第２アダプタもサポート・コネクタ・インタフェースと非サポート・インタフェースの両方を持っており、非サポート・インタフェースは、ネットワーク１の非サポート・コネクタと係合している。第３測定処理８３０は、互いに結合された両方のアダプタを用いて、非サポート・インタフェースを介して行われる。これらアダプタの特性は、数学的なカスケード接続において第３測定の逆特性（inverse）を取り除くことによって、トータル・システム応答から除去される。どちらのアダプタも無しでネットワークが測定され（８４０）、上記カスケード接続の結果と対比して測定値が検証される（８５０）。
【００７２】
別の実施形態では、バーチャル・ネットワーク・モデルは、相互接続”ブレット”を用いて複数の非サポート・インタフェースを収容する場合にもうまく機能する。Ｃｒｉｓｔｅｋ（登録商標）社のＳＭＰＭインターコネクト・ファミリーのようなブレット（Bullet：筒状コネクタ）は、アダプタと共に、上述と同様のやり方でモデル化される。図９は、１対の非サポート・インタフェース９３０を示しており、コネクタ９１０及び９１５は、インタフェース９３０をまたがってブレット９９０で結合され、ブレット９９０はブレット受け部９９５で受け止められる。インタフェース９３０は、市販の校正キットでは非サポートであり、既知の規格ではトレースできない。コネクタ９１０は、ネットワーク要素９７０によって（図１の）装置１１０に結合される。これは、第１チャンネル１５０ａに結合される同軸ケーブルでも良いし、ネットワークの試験及び測定の実施において普通のネットワーク要素を集めたもの（コレクション）でも良い。同様に、コネクタ９１５は、ネットワーク要素９７５によって装置１１０に結合され、第２チャンネル１５０ｂに結合される。
【００７３】
ある実施形態では、ネットワーク［Ｎ８］及び［Ｎ９］は、ブレットを用いて非サポート・インタフェースにまたがって相互接続される。ネットワーク［Ｎ８］及び［Ｎ９］は、バーチャル・ネットワーク・モデルを生成するために、個々に測定及び特性評価がなされ、数学的にカスケード接続されると、正しいトータル・システム応答［ＮＴ３］を与える：
［ＮＴ３］＝［Ｎ８］:［Ｂ］:［Ｎ９］  ブレット［Ｂ］を伴うカスケード接続ネットワーク［ＮＴ３］
ここで、個々のネットワーク要素は、次のように特性が評価される：
［Ｎ８］    ネットワーク［Ｎ８］
［Ｎ９］    ネットワーク［Ｎ９］
［Ｂ］      ブレット
：  非サポート・コネクタ・インタフェース
各拡張ネットワークの校正された測定値：
［Ｍ７］＝［Ｎ８］:［Ｂ］:［Ａ７］
［Ｍ８］＝［Ａ８］:［Ｂ］:［Ｎ９］
背中合わせのアダプタ対の校正された測定値
［Ｍ９］＝［Ａ８］:［Ｂ］:［Ａ７］
ディエンベッド・ネットワークの生成
［Ｍ９］−１＝［［Ａ８］:［Ｂ］:［Ａ７］］−１＝［Ａ７］−１［Ｂ］−１［Ａ８］−１
ディエンベッド・ネットワークを拡張ネットワークに適用すると、次が得られる：
[M7]:[M9]-1[M8]  = [N8]:[B]:[A7]  [A7]-1[B]-1[A8]-1   [A8]:[B]:[N9] 
= [N8]:[B]:[N9]
= [NT3]
【００７４】
バーチャル・ネットワーク・モデルの切り分け処理には、逆アダプタ対測定値［Ｍ９］−１を［Ｍ８］に取り入れる：
[N8]:[B]:[N9]= [M7]                   [M9]-1 [M8]
[N8]:[B]:[N9]= [N8]:[B]:[A7]  [A7]-1[B]-1[A8]-1 [A8]:[B]:[N9] 
[N8]:[B]:[N9]= [N8]:[B]:[A7]  [A7]-1  [N9]
[N8]:[B]:[N9]= [VN9]        [VN10]
上記から、次の定義を導くことができる：
［ＶＮ９］    =［Ｍ７］          =［Ｎ８］:［Ｂ］:［Ａ７］
［ＶＮ１０］  =［Ｍ９］−１［Ｍ８］＝［Ａ７］−１［Ｎ９］
見ての通り、バーチャル・モデル［ＶＮ９］は、測定値［Ｍ７］に等しい。加えて、バーチャル・モデル［ＶＮ１０］は、測定値［Ｍ８］とカスケード接続された測定値［Ｍ９］−１に等しい。これら導出結果は、次を用いて検証しても良い：
［ＶＮ９］:［ＶＮ１０］＝［Ｎ８］:［Ｂ］:［Ａ７］ ［Ａ７］−１［Ｎ９］ 
［ＶＮ９］:［ＶＮ１０］＝［Ｎ８］:［Ｂ］:［Ｎ９］
［ＶＮ９］:［ＶＮ１０］＝［ＮＴ３］
【００７５】
図示した実施形態を参照しながら、本発明の原理を説明及び図示してきたが、図示した実施形態は、こうした原理から離れることなく、その配置及び詳細を変更したり、任意の好ましい形態に組み合わせても良いことが理解できるであろう。上述の説明は、特定の実施形態に絞っているが、他の構成も考えられる。特に、「本発明の実施形態による」などのような表現をここでは用いているが、こうした言い回しは、通常、基準となる実施形態の可能性を意味しており、特定の実施形態の構成に限定することを意図するものではない。ここで用いたように、こうした用語は、別の実施形態に組み合わせることができる同じ又は異なる実施形態にも言及するものである。
【００７６】
従って、ここで上述した実施形態について幅広い種々の置換と観点から、この詳細な説明及び添付の説明資料は単に説明の都合に過ぎず、本発明の範囲を限定するものと考えるべきではない。従って、発明として請求するものは、次の特許請求の範囲とその等価なものの範囲と主旨内に入る全ての変更したものである。
【符号の説明】
【００７７】
１１０  信号測定装置
１２０  入力ボタン
１３０  表示装置
１４０  信号波形
１５０  信号チャンネル
１６０  入力ダイヤル
２１０  信号測定装置
２２０  ネットワーク
２３０  コンピュータ
【図１】
2014044205.tif 000003
【図２】
2014044205.tif 000004
【図３】
2014044205.tif 000005
【図４】
2014044205.tif 000006
【図５】
2014044205.tif 000007
【図６】
2014044205.tif 000008
【図７】
2014044205.tif 000009
【図８】
2014044205.tif 000010
【手続補正書】
【提出日】平成25年12月4日(2013.12.4)
【手続補正１】
【補正対象書類名】明細書
【補正対象項目名】００３４
【補正方法】変更
【補正の内容】
【００３４】
【図１】図１は、代表的な信号測定装置の前面の示す図である。
【図２】図２は、図１の信号測定装置がネットワークを介してコンピュータに接続されている例を示す図である。
【図３】図３は、サポートされたコネクタを用いて装置の特性を決定するための校正基準面を確立する既知のトレース可能な規格を用いた信号装置の校正を示している。
【図４】図４は、アダプタを用いて非サポートのコネクタでネットワークを校正された測定を行う第１例を示している。
【図５】図５は、アダプタを用いて非サポートのコネクタでネットワークを校正された測定を行う第２例を示している。
【図６】図６は、背中合わせに接続された２つのアダプタを測定する例を示す。
【図７】図７は、トータル・システムの測定値を検証する例を示す。
【図８】図８は、図１の信号測定装置と、図３〜６に示したようなコネクタ及びアダプタとを用いた典型的な校正及び特性評価処理を示す制御フロー・チャートである。
【手続補正２】
【補正対象書類名】明細書
【補正対象項目名】００７２
【補正方法】変更
【補正の内容】
【００７２】
別の実施形態では、バーチャル・ネットワーク・モデルは、相互接続”ブレット”を用いて複数の非サポート・インタフェースを収容する場合にもうまく機能する。Ｃｒｉｓｔｅｋ（登録商標）社のＳＭＰＭインターコネクト・ファミリーのようなブレット（Bullet：筒状コネクタ）は、アダプタと共に、上述と同様のやり方でモデル化される。コネクタ９１０及び９１５は、１対の非サポート・インタフェース９３０をまたがってブレット９９０で結合され、ブレット９９０はブレット受け部９９５で受け止められる。インタフェース９３０は、市販の校正キットでは非サポートであり、既知の規格ではトレースできない。コネクタ９１０は、ネットワーク要素９７０によって（図１の）装置１１０に結合される。これは、第１チャンネル１５０ａに結合される同軸ケーブルでも良いし、ネットワークの試験及び測定の実施において普通のネットワーク要素を集めたもの（コレクション）でも良い。同様に、コネクタ９１５は、ネットワーク要素９７５によって装置１１０に結合され、第２チャンネル１５０ｂに結合される。Ｃｒｉｓｔｅｋ社のブレットについては、以下に示すように、インターネット上の同社のウェッブ・サイトに資料が公開されている。
Cristek Website − RF/Microwave − SMPM Ultra Frequency Push ON
http://www.cristek.com/products/microwave/smpm.html
Cristek Website − RF/Microwave − SMPM Ultra Frequency Push ON − SMPM Bullet Interconnects
http://www.cristek.com/products/microwave/smpm/smpm-bullet-interconnects.pdf
Cristek Website − RF/Microwave − SMPM Ultra Frequency Push ON − Technical
Information：Application Notes
http://www.cristek.com/products/microwave/smpm/smpm-application-notes.pdf
【外国語明細書】
2014044205.tif 000011
2014044205.tif 000012
2014044205.tif 000013
2014044205.tif 000014
2014044205.tif 000015
2014044205.tif 000016
2014044205.tif 000017
2014044205.tif 000018
2014044205.tif 000019
2014044205.tif 000020
2014044205.tif 000021
2014044205.tif 000022
2014044205.tif 000023
2014044205.tif 000024
2014044205.tif 000025
2014044205.tif 000026
2014044205.tif 000027
2014044205.tif 000028
2014044205.tif 000029
2014044205.tif 000030
2014044205.tif 000031
2014044205.tif 000032
2014044205.tif 000033
2014044205.tif 000034
2014044205.tif 000035
2014044205.tif 000036
2014044205.tif 000037